【手続補正書】
【提出日】平成17年9月16日(2005.9.16)
【手続補正１】
【補正対象書類名】明細書
【補正対象項目名】発明の名称
【補正方法】変更
【補正の内容】
【発明の名称】保護部材、現像カートリッジ及びプロセスカートリッジ
【手続補正２】
【補正対象書類名】明細書
【補正対象項目名】特許請求の範囲
【補正方法】変更
【補正の内容】
【特許請求の範囲】
【請求項１】
電子写真感光体に形成された静電潜像を現像する現像ローラであって、弾性体からなるローラ部と、前記ローラ部を支持する軸部とを有する現像ローラと、
前記ローラ部と接触して、前記ローラ部上の現像剤の量を規制する現像剤規制部材と、
を有する現像装置に用いられる、前記現像ローラと前記現像剤規制部材との間に取り外し可能に装着される保護部材であって、
前記保護部材が前記現像ローラと前記現像剤規制部材との間に装着された際に、前記ローラ部と前記現像剤規制部材との間にはさまれる接触部であって、前記ローラ部と前記現像剤規制部材とによって圧縮される接触部と、
前記接触部を支持する支持部と、
を有し、
前記保護部材を前記現像ローラと前記現像剤規制部材との間に装着した際における、前記接触部と前記ローラ部とが当接する当接幅は、前記保護部材を前記現像ローラと前記前記現像剤規制部材との間に装着しない際における、前記現像剤規制部材と前記ローラ部とが当接する当接幅よりも大きいことを特徴とする保護部材。
【請求項２】
前記支持部はポリエチレンテレフタレートシートを有することを特徴とする請求項１に記載の保護部材。
【請求項３】
前記接触部の厚みは０．５ｍｍ〜２ｍｍであることを特徴とする請求項１または２に記載の保護部材。
【請求項４】
前記支持部の一端は、前記接触部と共に、前記ローラ部と前記現像剤規制部材との間にはさまれており、前記支持部の一端には前記現像剤規制部材が接触し、前記接触部には前
記ローラ部が接触することを特徴とする請求項１，２または３に記載の保護部材。
【請求項５】
電子写真画像形成装置本体に着脱可能な現像カートリッジにおいて、
電子写真感光体に形成された静電潜像を現像するための現像ローラであって、弾性体からなるローラ部と、前記ローラ部を支持する軸部とを有する現像ローラと、
前記ローラ部と接触して、前記ローラ部上の現像剤の量を規制する現像剤規制部材と、
前記現像ローラと前記現像剤規制部材との間に取り外し可能に装着される保護部材であって、前記保護部材が前記現像ローラと前記現像剤規制部材との間に装着された際に、前記ローラ部と前記現像剤規制部材との間にはさまれる接触部と、前記接触部を支持する支持部と、を有する保護部材と、
を備え、
前記保護部材を前記現像ローラと前記現像剤規制部材との間に装着した際における、前記接触部と前記ローラ部とが当接する当接幅は、前記保護部材を前記現像ローラと前記前記現像剤規制部材との間に装着しない際における、前記現像剤規制部材と前記ローラ部とが当接する当接幅よりも大きいことを特徴とする現像カートリッジ。
【請求項６】
前記支持部はポリエチレンテレフタレートシートを有することを特徴とする請求項５に記載の現像カートリッジ。
【請求項７】
前記接触部の厚みは０．５ｍｍ〜２ｍｍであることを特徴とする請求項５または６に記載の現像カートリッジ。
【請求項８】
前記支持部の一端は、前記接触部と共に、前記ローラ部と前記現像剤規制部材との間にはさまれており、前記支持部の一端には前記現像剤規制部材が接触し、前記接触部には前記ローラ部が接触することを特徴とする請求項５、６または７に記載の現像カートリッジ。
【請求項９】
電子写真画像形成装置本体に着脱可能なプロセスカートリッジにおいて、
電子写真感光体と、
前記電子写真感光体に形成された静電潜像を現像するための現像ローラであって、弾性体からなるローラ部と、前記ローラ部を支持する軸部とを有する現像ローラと、
前記ローラ部と接触して、前記ローラ部上の現像剤の量を規制する現像剤規制部材と、
前記現像ローラと前記現像剤規制部材との間に取り外し可能に装着される保護部材であって、前記保護部材が前記現像ローラと前記現像剤規制部材との間に装着された際に、前記ローラ部と前記現像剤規制部材との間にはさまれる接触部と、前記接触部を支持する支持部と、を有する保護部材と、
を備え、
前記保護部材を前記現像ローラと前記現像剤規制部材との間に装着した際における、前記接触部と前記ローラ部とが当接する当接幅は、前記保護部材を前記現像ローラと前記前記現像剤規制部材との間に装着しない際における、前記現像剤規制部材と前記ローラ部とが当接する当接幅よりも大きいことを特徴とするプロセスカートリッジ。
【請求項１０】
前記支持部はポリエチレンテレフタレートシートを有することを特徴とする請求項９に記載のプロセスカートリッジ。
【請求項１１】
前記接触部の厚みは０．５ｍｍ〜２ｍｍであることを特徴とする請求項９または１０に記載のプロセスカートリッジ。
【請求項１２】
前記支持部の一端は、前記接触部と共に、前記ローラ部と前記現像剤規制部材との間にはさまれており、前記支持部の一端には前記現像剤規制部材が接触し、前記接触部には前
記ローラ部が接触することを特徴とする請求項９、１０または１１に記載のプロセスカートリッジ。
【手続補正３】
【補正対象書類名】明細書
【補正対象項目名】００１６
【補正方法】変更
【補正の内容】
【００１６】
【課題を解決するための手段】
上記目的を達成するために本発明に係る保護部材にあっては、
電子写真感光体に形成された静電潜像を現像する現像ローラであって、弾性体からなるローラ部と、前記ローラ部を支持する軸部とを有する現像ローラと、
前記ローラ部と接触して、前記ローラ部上の現像剤の量を規制する現像剤規制部材と、
を有する現像装置に用いられる、前記現像ローラと前記現像剤規制部材との間に取り外し可能に装着される保護部材であって、
前記保護部材が前記現像ローラと前記現像剤規制部材との間に装着された際に、前記ローラ部と前記現像剤規制部材との間にはさまれる接触部であって、前記ローラ部と前記現像剤規制部材とによって圧縮される接触部と、
前記接触部を支持する支持部と、
を有し、
前記保護部材を前記現像ローラと前記現像剤規制部材との間に装着した際における、前記接触部と前記ローラ部とが当接する当接幅は、前記保護部材を前記現像ローラと前記前記現像剤規制部材との間に装着しない際における、前記現像剤規制部材と前記ローラ部とが当接する当接幅よりも大きいことを特徴とする。
【手続補正４】
【補正対象書類名】明細書
【補正対象項目名】００１７
【補正方法】変更
【補正の内容】
【００１７】
また、電子写真画像形成装置本体に着脱可能な現像カートリッジにおいて、
電子写真感光体に形成された静電潜像を現像するための現像ローラであって、弾性体からなるローラ部と、前記ローラ部を支持する軸部とを有する現像ローラと、
前記ローラ部と接触して、前記ローラ部上の現像剤の量を規制する現像剤規制部材と、
前記現像ローラと前記現像剤規制部材との間に取り外し可能に装着される保護部材であって、前記保護部材が前記現像ローラと前記現像剤規制部材との間に装着された際に、前記ローラ部と前記現像剤規制部材との間にはさまれる接触部と、前記接触部を支持する支持部と、を有する保護部材と、
を備え、
前記保護部材を前記現像ローラと前記現像剤規制部材との間に装着した際における、前記接触部と前記ローラ部とが当接する当接幅は、前記保護部材を前記現像ローラと前記前記現像剤規制部材との間に装着しない際における、前記現像剤規制部材と前記ローラ部とが当接する当接幅よりも大きいことを特徴とする。
【手続補正５】
【補正対象書類名】明細書
【補正対象項目名】００１８
【補正方法】変更
【補正の内容】
【００１８】
また、電子写真画像形成装置本体に着脱可能なプロセスカートリッジにおいて、
電子写真感光体と、
前記電子写真感光体に形成された静電潜像を現像するための現像ローラであって、弾性体からなるローラ部と、前記ローラ部を支持する軸部とを有する現像ローラと、
前記ローラ部と接触して、前記ローラ部上の現像剤の量を規制する現像剤規制部材と、
前記現像ローラと前記現像剤規制部材との間に取り外し可能に装着される保護部材であって、前記保護部材が前記現像ローラと前記現像剤規制部材との間に装着された際に、前記ローラ部と前記現像剤規制部材との間にはさまれる接触部と、前記接触部を支持する支持部と、を有する保護部材と、
を備え、
前記保護部材を前記現像ローラと前記現像剤規制部材との間に装着した際における、前記接触部と前記ローラ部とが当接する当接幅は、前記保護部材を前記現像ローラと前記前記現像剤規制部材との間に装着しない際における、前記現像剤規制部材と前記ローラ部とが当接する当接幅よりも大きいことを特徴とする。
【手続補正６】
【補正対象書類名】明細書
【補正対象項目名】００１９
【補正方法】変更
【補正の内容】
【００１９】
上述の構成によれば、現像剤規制部材と現像ローラとの間に保護部材を挟持することで、当接ニップを拡大し当接圧を減少させることで現像ローラの変形を抑制し、現像カートリッジやプロセスカートリッジの使用開始時から良好な画像を提供することができる。
【手続補正７】
【補正対象書類名】明細書
【補正対象項目名】００２０
【補正方法】変更
【補正の内容】
【００２０】
前記支持部はポリエチレンテレフタレートシートを有することが好適である。
【手続補正８】
【補正対象書類名】明細書
【補正対象項目名】００２１
【補正方法】変更
【補正の内容】
【００２１】
前記接触部の厚みは０．５ｍｍ〜２ｍｍであることが好適である。
【手続補正９】
【補正対象書類名】明細書
【補正対象項目名】００２２
【補正方法】変更
【補正の内容】
【００２２】
前記支持部の一端は、前記接触部と共に、前記ローラ部と前記現像剤規制部材との間にはさまれており、前記支持部の一端には前記現像剤規制部材が接触し、前記接触部には前記ローラ部が接触することが好適である。
【手続補正１０】
【補正対象書類名】明細書
【補正対象項目名】００８２
【補正方法】変更
【補正の内容】
【００８２】
【発明の効果】
以上説明したように本発明によれば、プロセスカートリッジ、または現像カートリッジの製造時からユーザの初期使用に至るまでの間、現像剤規制部材の現像ローラへの当接圧を分散させることが可能になり現像剤規制部材の現像ローラへの当接圧による現像ローラの変形を抑制することで良好な画像を提供することが可能となる。